(57)【特許請求の範囲】
【請求項１】
基端から先端に向かって所定のテーパが設けられた樹脂又は繊維強化樹脂からなる細長棒状体からなる釣竿本体と、
当該釣竿本体の先端に設けられたトップラインガイドと、
当該トップラインガイドから当該釣竿本体の長手方向基端側に向かって所定の間隔をあけて配置された複数の中間ラインガイドとを備え、
少なくとも中間ラインガイドは、ラインが挿通されるリング部及び当該リング部に設けられた取付脚部とを有し、
当該取付脚部は、上記釣竿本体に設けられた貫通孔に挿通され且つ当該釣竿本体の長手方向に屈曲された状態で当該釣竿本体に固定されている釣竿。
【請求項２】
上記中間ラインガイドはステンレス鋼線材からなり、当該ステンレス鋼線材が環状に湾曲形成されることにより上記リング部が形成され、当該ステンレス鋼線材の両端部により上記取付脚部が形成されており、上記両端部は、上記釣竿本体の長手方向基端側に屈曲されている請求項１に記載の釣竿。
【請求項３】
上記中間ラインガイドはステンレス鋼線材からなり、当該ステンレス鋼線材が環状に湾曲形成されることにより上記リング部が形成され、当該ステンレス鋼線材の両端部により上記取付脚部が形成されており、上記両端部のうちの一方は上記釣竿本体の長手方向基端側に屈曲され、上記両端部のうちの他方は上記釣竿本体の長手方向先端側に屈曲されている請求項１に記載の釣竿。
【請求項４】
上記釣竿本体は、断面形状が扁平した矩形である帯状に形成されている請求項１から３のいずれかに記載の釣竿。
【請求項５】
上記貫通孔は、上記釣竿本体の剛性を局部的に低下させる円形孔である請求項４に記載の釣竿。
【発明の詳細な説明】
【技術分野】
【０００１】
この発明は、特にワカサギ釣りに使用される釣竿の構造並びにこの釣竿に適用される釣糸ガイドの構造に関するものである。
【背景技術】
【０００２】
ワカサギは、体長が数ｃｍ〜１５ｃｍ程度の小型の魚であり、比較的釣りやすい魚であることから、釣人の間でワカサギ釣りは人気がある。このような小型の魚をターゲットとする釣りにおいては、釣竿や釣糸リールも非常に小型で繊細なものが使用される。それ故に、その釣果は、仕掛けやエサの選択、仕掛けの操作（いわゆる「誘い」）の仕方によって大きく左右され、ワカサギ釣りの上級者ほど仕掛けを微妙に操作するテクニック（「誘い」のテクニック）を重要視する。
【０００３】
図６は、一般的なワカサギ釣りの仕掛けを模式的に示している。
【０００４】
ワカサギ釣りでは、釣竿１及びリール２が使用され、リール２に巻き取られたライン３に仕掛け４が連結される。仕掛け４はおもり５を備えており、同図が示すように、おもり５の作用により仕掛け４が湖底６の付近まで沈められる。釣人は、釣竿１を所要の角度θとなるように傾斜させてワカサギがヒットするのを待つ。ワカサギがヒットすれば穂先７が不規則に振動するので、釣人はこのような振動を感知すると、リール２を操作してライン３を回収し、ヒットしたワカサギを取り込む。
【０００５】
仕掛け４の投入及びライン３の回収が円滑に行われるために、釣竿１にラインガイド８が取り付けられる（たとえば、非特許文献１参照）。このラインガイド８は、一般に糸（木綿糸あるいはナイロン糸）及び接着剤により釣竿１の所要の位置に取り付けられる。ラインガイド８は、ライン３を安定的に支持するために、釣竿１に確実に固定されていなければならないという要請がある。
【０００６】
ところで、実釣において上記角度θは、釣人のフィーリングによって決定されるものである。すなわち、釣人は、魚のヒット（いわゆる「アタリ」）を正確に把握でき、且つ、意図的に釣竿１の穂先７を振動させて「誘い」をかけやすいように上記角度θを調整する。換言すれば、釣人が仕掛けを操作する（「誘い」をかける）ために、釣竿１の弾性や曲がり特性がきわめて重要であり、従来から釣竿に関して種々の提案、改良がなされている（たとえば特許文献１〜特許文献４）
【先行技術文献】
【非特許文献】
【０００７】
【非特許文献１】富士工業株式会社製品史：http://www.fujitackle.com/history/guide.html
【特許文献】
【０００８】
【特許文献１】特開２００９−２０７３５８号公報
【特許文献２】特開２００９−２０７３５７号公報
【特許文献３】特開２００９−２０７３５６号公報
【特許文献４】特開２００９−８２０５２号公報
【発明の概要】
【発明が解決しようとする課題】
【０００９】
同図が示すように、通常、複数のラインガイド８が釣竿１の所定部位に取り付けられる。しかし、前述のように、釣竿１は、そのサイズが非常に小さく、きわめて小さい曲げモーメントが作用した場合であっても簡単に湾曲変形するように構成されるものであることから、ラインガイド８を確実に釣竿１に固定する作業は一般に容易ではない。
【００１０】
また、実釣において釣人は、仕掛け４を水中に投入した後、同図の状態から意図的に穂先７を上下に振動させて「誘い」をかける。釣人は、釣果を上げるために次のようなテクニックを駆使する。すなわち、釣人は、穂先７に意図的に微細な振動を与え、前述のように、この振動が一様ではなく不規則に変化したときにアタリを感知する。釣人の経験上、ワカサギ釣りでは、このような穂先７の振動の微小変化を捉えることが釣果を大きく左右する。そうすると、釣竿１に要求される性能は、穂先７が微細且つ一様な振動を起こすことができること、換言すれば、穂先７が柔らかいこと、及び釣竿１が滑らかに曲がって且つ曲がりが一様に復元することである。加えて、釣人は、リール２を用いて仕掛け４を回収するが、その際に仕掛け４からワカサギが脱落しないためにも（いわゆる「バラシ」が起こらないように）、釣竿１が滑らかに曲がることが重要である。
【００１１】
一方で、仮にラインガイド８が糸及び多量の接着剤によって釣竿１に強固に固定されると、ラインガイド８が取り付けられた部位の剛性が局部的に大きくなる。したがって、穂先７が振動した際、あるいは仕掛け４の回収時に、釣竿１が一様に曲がらないばかりか、当該部位を節として釣竿１に二次的な振動が発生してしまうおそれがある。その結果、釣人は、実釣において「誘い」をかけにくく且つアタリがとりにくく、さらにはヒットしたワカサギが針から外れやすい（「バラシ」やすい）という不都合が生じる。
【００１２】
本発明はかかる背景のもとになされたものであって、その目的は、ワカサギ釣りに供される釣竿であって、ラインガイドが確実に装着されると共に局部的な剛性変化が抑えられた釣竿、並びに釣竿に簡単且つ確実に装着されるラインガイドを提供することである。
【課題を解決するための手段】
【００１３】
(1) 本発明に係る釣竿は、基端から先端に向かって所定のテーパが設けられた樹脂又は繊維強化樹脂からなる細長棒状体からなる釣竿本体と、当該釣竿本体の先端に設けられたトップラインガイドと、当該トップラインガイドから当該釣竿本体の長手方向基端側に向かって所定の間隔をあけて配置された複数の中間ラインガイドとを備える。そして、少なくとも中間ラインガイドは、ラインが挿通されるリング部及び当該リング部に設けられた取付脚部とを有し、当該取付脚部は、上記釣竿本体に設けられた貫通孔に挿通され且つ当該釣竿本体の長手方向に屈曲された状態で当該釣竿本体に固定されている。
【００１４】
この構成によれば、釣竿本体が樹脂又は繊維強化樹脂により構成されるので、当該釣竿本体は、均質な構造を備える。したがって、釣竿本体の断面係数は基端から先端に向かって漸次滑らかに変化し、当該釣竿本体に曲げモーメントが作用した場合に当該釣竿本体は全体に滑らかに湾曲変形する。この釣竿本体の断面係数が小さく設定された場合には、当該釣竿本体は、微小な曲げモーメントが作用した場合であっても敏感に反応して湾曲変形する。この釣竿本体にトップラインガイド及び複数の中間ラインガイドが装着される。各中間ラインガイドは、それぞれ、リング部及び取付脚部を有し、ラインは、リング部に挿通支持される。取付脚部は、釣竿本体に設けられた貫通孔に挿通され、当該釣竿本体に係合するから、各中間ラインガイドは少量の糸及び接着剤により簡単且つ確実に釣竿本体に固定される。また、少量の糸及び接着剤により各中間ラインガイドが装着されるから、釣竿本体の剛性が局部的に極端に大きくなることが防止される。
【００１５】
(2) 上記中間ラインガイドはステンレス鋼線材から構成されるのが好ましい。このステンレス鋼線材が環状に湾曲形成されることにより上記リング部が形成され、当該ステンレス鋼線材の両端部によって上記リング部に連続して上記取付脚部が形成され得る。上記両端部は、上記釣竿本体の長手方向基端側に屈曲されるのが好ましい。
【００１６】
この構成では、中間ラインガイドがステンレス鋼線材から構成されるので、中間ラインガイドの耐候性がきわめて高い。しかも、ステンレス鋼線材が湾曲ないし屈曲されるだけで、簡単且つ安価に中間ラインガイドが製造される。さらに、このステンレス鋼線材の両端部により形成される取付脚部が上記釣竿本体の長手方向基端側に屈り曲げられるから、中間ラインガイドが装着されることによる釣竿本体の局部的な剛性変化が抑えられる。
【００１７】
(3) 上記両端部のうちの一方が上記釣竿本体の長手方向基端側に屈曲され、且つ上記両端部のうちの他方が上記釣竿本体の長手方向先端側に屈曲されていてもよい。
【００１８】
(4) 上記釣竿本体は、断面形状が扁平した矩形である帯状に形成されているのが好ましい。
【００１９】
この構成では、釣竿本体は、曲げモーメントが作用したときにきわめて敏感に湾曲変形することができる。したがって、この発明に係る釣竿本体は、ワカサギ釣りに供される釣竿の構成部品として好適である。
【００２０】
(5) 上記貫通孔は、上記釣竿本体の剛性を局部的に低下させる円形孔であるのが好ましい。
【００２１】
上記中間ラインガイドが釣竿本体に装着されると、当該中間ラインガイドが取り付けられた部分では釣竿本体の断面係数が局部的に大きくなることは避けられず、したがって、釣竿本体の滑らかな湾曲が阻害されるおそれがある。しかし、この発明では、均質な構造の釣竿本体に上記円形孔が設けられている。このため、当該円形孔が設けられた部位において当該釣竿本体の断面係数が小さくなり、釣竿本体の剛性は局部的に低下する。すなわち、このような円形孔が設けられた部位に上記中間ラインガイドが取り付けられると、上記円形孔が設けられることによる断面係数の低下と上記中間ラインガイドが設けられることによる断面係数の増大とが相殺され、結果として釣竿本体の断面係数は、基端から先端に向かって漸次滑らかに変化し得る。つまり、上記釣竿本体に微小な曲げモーメントが作用した場合であっても、当該釣竿本体は、滑らかに曲がって且つ一様に曲がりが復元する。
【００２２】
(6) 本発明に係るラインガイドは、釣竿本体に取り付けられ、ラインが挿通支持されるラインガイドであって、一端部及び他端部並びにこれらを連続する中間部を備えた単一の金属製線材からなり、中間部が環状に湾曲されることによって形成されたリング部と、当該リング部に連続し、上記一端部及び他端部により形成される取付脚部とを有し、当該一端部及び他端部は、上記釣竿本体の長手方向に沿って平行に並ぶように屈曲されている。
【００２３】
この発明によれば、ラインガイドが金属製線材からなるので、当該ラインガイドは、安価で且つ耐候性に優れたものとなる。また、この金属製線材の両端部により形成される取付脚部が平行に配置され、当該取付脚部は、釣竿本体の長手方向に沿って配置される。これにより、このラインガイドは、簡単且つ確実に釣竿本体に固定されると共に、このラインガイドが装着されることによる釣竿本体の局部的な剛性変化が抑えられるという利点がある。
【発明の効果】
【００２４】
この発明によれば、ラインガイドが釣竿本体に簡単且つ確実に固定されると共に、釣竿の局部的な剛性変化が避けられるので、ワカサギその他の小型魚の微小なアタリが釣人によって確実に捉えられ、且つ釣針から魚が脱落することが防止される。
【図面の簡単な説明】
【００２５】
【図１】図１は、本発明の一実施形態に係る釣竿の外観斜視図である。
【図２】図２は、図１における要部拡大図である。
【図３】図３は、本発明の一実施形態の変形例に係る釣竿の要部拡大斜視図である。
【図４】図４は、本発明の一実施形態の第２の変形例に係る釣竿の要部拡大斜視図である。
【図５】図５は、本発明の一実施形態の第３の変形例に係る釣竿の要部拡大斜視図である。
【図６】図６は、一般的なワカサギ釣りの仕掛けを模式的に示す図である。
【発明を実施するための形態】
【００２６】
以下、本発明の好ましい実施形態が、適宜図面が参照されつつ詳細に説明される。なお、本実施の形態は、本発明に係る釣竿の一実施態様にすぎず、本発明の要旨を変更しない範囲で実施態様が変更され得ることは言うまでもない。
【００２７】
［釣竿の構成］
【００２８】
図１は、本発明の一実施形態に係る釣竿の外観斜視図である。図２は、図１における要部拡大図である。
【００２９】
釣竿１０は、主としてワカサギ釣りに供されるものであって、釣竿本体１１と、釣竿本体１１に設けられたトップガイド１２（本発明における「トップラインガイド」の一例）及び中間ガイド１６〜２０（本発明における「中間ラインガイド」の一例）と、グリップ３０とを備えている。この釣竿１０の特徴とするところは、図２が示すように、釣竿本体１１に複数の取付孔１３（本発明における「貫通孔」の一例）が設けられており、この取付孔１３に中間ガイド１６〜２０の取付脚２３（本発明における「取付脚部」の一例）が挿通されている点である。これにより、中間ガイド１３が簡易に且つ確実に釣竿本体１１に固定されると共に、釣竿本体１１が滑らかに湾曲変形し且つ当該変形が一様に復元され得るようになっている。
【００３０】
釣竿本体１１は、ガラス繊維強化樹脂からなる。もっとも釣竿本体１１を構成する材料は、炭素繊維強化樹脂でもよいし、繊維で強化されていない樹脂や金属でもよい。釣竿本体１１は、図１が示すように細長棒状体である。図１及び図２が示すように、この釣竿本体１１は帯状に形成されている。すなわち、釣竿本体１１の断面形状は、扁平した矩形に形成されている。ただし、釣竿本体１の基端部１４においては（図１参照）、釣竿本体１１の断面形状が円形に形成されている。つまり、この基端部１４は、丸棒状に形成されている。
【００３１】
図１が示すように、釣竿本体１１はテーパ状に形成されており、釣竿本体１１の幅寸法Ｗ（図２参照）は、釣竿本体１１の基端部１４から先端部１５に向かって漸次小さくなっている。なお、本実施形態では、釣竿本体１１は、まず丸棒状に形成され、これが切削されることによって上記帯状に成形されている。本実施形態では、釣竿本体１１の基端部１４の外径は４ｍｍに設定され、先端の幅寸法Ｗは１．５ｍｍ、厚さ寸法Ｂ（図２参照）は０．１５ｍｍに設定されている。もっとも、釣竿本体１１の外形寸法は設計変更され得るし、他の加工手段によって釣竿本体１１が帯状に形成されてもよい。
【００３２】
図２が示すように、釣竿本体１１に上記取付孔１３が設けられている。図１では明示されていないが、本実施形態では、５つの取付孔１３が釣竿本体１１の長手方向に沿って並設されている。各取付孔１３の位置は、中間ガイド１６〜２０の位置に対応している。図１が示すように本実施形態では、釣竿本体１１の先端から中間ガイド１６までの距離ｐ１は２２ｍｍに設定されており、隣り合う中間ガイド１６〜２０同士の間隔ｐ２〜ｐ５は、それぞれ、２５ｍｍ、２７ｍｍ、３３ｍｍ、４０ｍｍに設定されている。なお、中間ガイド１６〜２０の数や上記距離ｐ１、間隔ｐ２〜ｐ５は、適宜設計変更され得る。
【００３３】
図２が示すように、上記取付孔１３は円形に形成されている。この取付孔１３の中心は、釣竿本体１１の中心軸上に位置している。各取付孔１３の内径は、本実施形態では１．５ｍｍに設定されているが、取付孔１３の内径は特に限定されるものではない。ただし、釣竿本体１１において取付孔１３を除いた部分の寸法Ｗｏは、１．８ｍｍ以上に設定されるのが好ましい。もっとも、取付孔１３は楕円であってもよいし、その他の形状の貫通孔であってもよい。要するに、取付孔１３の形状は、釣竿本体１１に曲げモーメントが作用した際に取付孔１３が設けられた部位における応力集中が回避されるような形状であればよく、釣竿本体１１の断面形状が急激に変化しないように取付孔１３の形状が決定されるべきである。
【００３４】
中間ガイド１６は、ステンレス鋼線材から構成されている。中間ガイド１６は、環状に形成されたリング部２１と、上記取付脚２３とを備えている。中間ガイド１６は、単一のステンレス鋼線材からなり、当該ステンレス鋼線材の一端部３１及び他端部３２により上記取付脚２３が構成され、当該ステンレス鋼線材の中間部分により上記リング部２１が構成されている。具体的には、上記ステンレス鋼線材の中間部分が円形に湾曲されることによってリング部２１が形成されている。本実施形態では、上記ステンレス鋼線材がらせん状に２回だけ巻回されることによりリング部２１が形成されているが、上記ステンレス鋼線材が幾重にも巻回されることによりリング部２１が形成されていてもよい。
【００３５】
取付脚２３を構成する上記一端部３１及び他端部３２は、上記リング部２１に連続しており、それぞれ、接続部３３及び固定部３４を有する。各接続部３３は、上記リング部２１に連続している。また、各固定部３４は、各接続部３３に連続し、当該各接続部３３に対して屈曲されている。接続部３３に対する固定部３４の屈曲角度φは特に限定されないが、いわゆる鈍角に設定されるのが好ましい。さらに、各固定部３４は、互いに平行に配置され、釣竿本体１１の長手方向に沿って配置されている。この固定部３４は、釣竿本体１１の上面３５側から上記取付孔１３に挿通され、釣竿本体１１の下面に当接される。そして、この固定部３４は、ナイロン糸２４により釣竿本体１１に締結され、接着剤で固定される。中間ガイド１７〜２０も中間ガイド１６と同様の構成であり、前述と同様の要領で釣竿本体１１に固定される。
【００３６】
図１が示すように、トップガイド１２もステンレス鋼線材から構成されており、上記中間ガイド１６〜２０と同様にリング部２１と、上記取付脚２３とを備えている。上記中間ガイド１６〜２０は、取付脚２３が釣竿本体１１の取付孔１３に挿通されていたが、本実施形態では、トップガイド１２は、取付脚２３が釣竿本体１１の上面３５に載置され、ナイロン糸２４及び接着剤にて固定されている。もっとも、釣竿本体１１の先端近傍に上記取付孔１３が設けられ、この取付孔１３にトップガイド１２の取付脚２３が挿通されてもよい。
【００３７】
グリップ３０は、釣竿本体１１の基端部１４に連結されている。グリップ３０は、釣人が把持する部材であって、既知の構造を有する。グリップ３０は円柱状に形成されたグリップ本体２５を備えており、釣人が握りやすいように所要の外径に設定されている。グリップ本体２５を構成する材料は、樹脂、金属が例示される。グリップ本体２５は、リールシート２６を備えている。このリールシート２６は、釣用リールをグリップ本体２５に固定するためのものであって、釣用リールが載置されるシート面２９を備える。また、リールシート２６は、固定フード２７及び可動フード２８を有し、これらはシート面２９に載置された釣用リールの脚を挟持する。
【００３８】
［釣竿の使用要領］
【００３９】
図示されていない釣用リールがシート面２９上に載置され、固定フード２７及び可動フード２８によって締結固定される。この釣用リールから引き出されたラインは、中間ガイド２０〜１６及びトップガイド１２に順次挿通され、当該ラインの先端に仕掛けが連結される。
【００４０】
この釣竿１０では、釣竿本体１１がガラス繊維強化樹脂からなるので、釣竿本体１１は均質な構造の細長棒状体として構成されている。したがって、釣竿本体１１の断面係数は基端部１４から先端部１５に向かって漸次滑らかに変化する。そのため、釣竿本体１１に曲げモーメントが作用した場合に、釣竿本体１１は全体に滑らかに湾曲変形する。また、この釣竿１０がターゲットとするのはワカサギ等の小魚であるから、釣竿本体１１の断面係数は小さく設定されている。したがって、釣竿本体１１は、微小な曲げモーメントが作用した場合であっても敏感に反応して湾曲変形する。
【００４１】
上記各中間ガイド１６〜２０は、それぞれ、リング部２１及び取付脚２３を有し、この取付脚２３が釣竿本体１１の貫通孔１３に挿通されている。具体的には、取付脚２３の固定部３４が貫通孔１３に挿通され、釣竿本体１１の下面に係合される。この状態で、固定部３４がナイロン糸２４により釣竿本体１１に締結されるので、中間ガイド１６〜２０は、少量のナイロン糸２４及び接着剤により簡易に且つ確実に釣竿本体１１に固定される。中間ガイド１６〜２０が釣竿本体１１を貫通し前述のような簡易な構造で釣竿本体１１に固定されることから、釣竿本体１１の剛性が局部的に大きくなることが回避される。その結果、釣竿１０の滑らかな湾曲が実現され、実釣において小型魚の微小なアタリが釣人によって確実に捉えられ、且つ釣針から魚が脱落することが防止される。
【００４２】
また、中間ガイド１６〜２０及びトップガイド１２がステンレス鋼線材から構成されているので、これらの耐候性がきわめて高い。しかも、ステンレス鋼線材が湾曲ないし屈曲されるだけで、簡単且つ安価に中間ガイド１６〜２０及びトップガイド１２が製造される。さらに、ステンレス鋼線材の一端部３１及び他端部３２からなる取付脚２３が釣竿本体１１の長手方向基端側に屈り曲げられるから、中間ガイド１６〜２０が装着されることによる釣竿本体１１の局部的な剛性変化がより一層抑えられる。
【００４３】
本実施形態では、釣竿本体１１が帯状に形成されているので、釣竿本体１１に曲げモーメントが作用したときにきわめて敏感に湾曲変形する。したがって、この釣竿本体１１はワカサギ釣りに供される釣竿１０の構成部品として好適である。
【００４４】
加えて、本実施形態では、釣竿本体１１に設けられた貫通孔１３は、釣竿本体１１の剛性を局部的に低下させる円形孔であるから、次のような利点がある。
【００４５】
中間ガイド１６〜２０が釣竿本体１１に装着されると、各中間ガイド１６〜２０が取り付けられた部分において釣竿本体１１の断面係数が局部的に大きくなることは避けられない。そのため、釣竿本体１１の滑らかな湾曲が阻害されるおそれがある。ところが、前述のように均質な構造の釣竿本体１１に円形の貫通孔１３が設けられているため、この貫通孔１３が設けられた部位において釣竿本体１１の断面係数が局部的に小さくなる。すなわち、貫通孔１３が設けられることによる断面係数の低下と中間ガイド１６〜２０が設けられることによる断面係数の増大とが相殺され、結果として釣竿本体１１の断面係数は、基端部１４から先端部１２に向かって漸次滑らかに変化し得る。その結果、釣竿本体１１に微小な曲げモーメントが作用した場合であっても、釣竿本体１１は滑らかに曲がって且つ一様に曲がりが復元する。よって、釣人が釣竿１０を使用してワカサギ釣りその他の小型魚をターゲットとした釣りを行う際に、仕掛けを微妙に操作して効果的な「誘い」をかけることができるし、小型魚の微小なアタリを確実に捉えることができる。しかも、ヒットした魚の引きに対して釣竿本体１１がソフトに湾曲変形するので、ヒットした魚が釣針から脱落することが防止される。
【００４６】
［変形例］
【００４７】
図３は、上記実施形態の変形例に係る釣竿の要部拡大斜視図である。
【００４８】
同図が示すように、この変形例に係る釣竿が上記釣竿１０と異なるところは、上記中間ガイド１６〜２０の取付脚２３は一対の固定部３４を備えており、各固定部３４は、同方向に屈曲されていたのに対し、本変形例では、一対の固定部４２、４３は、互いに反対向きに屈曲されている点である。すなわち、取付脚２３の一方側の固定部４２は、釣竿本体１１の長手方向先端側に屈曲されており、他方側の固定部４３は、釣竿本体１１の長手方向基端側に屈曲されている。なお、その他の構成については、上記釣竿１０と同様である。中間ガイド１６〜２０がかかる構造にて釣竿本体１１に締結固定されていても、中間ガイド１６〜２０は、簡単に且つ確実に釣竿本体１１に固定され得る。
【００４９】
図４は、上記実施形態の第２の変形例に係る釣竿の要部拡大斜視図である。
【００５０】
この変形例に係る釣竿が上記釣竿１０と異なるところは、上記釣竿本体１１は貫通孔１３を備えていたのに対し、本変形例に係る釣竿本体４４は貫通孔１３が設けられていない点、及び上記中間ガイド１６〜２０の取付脚２３は一対の固定部３４を備えていたのに対し、本実施形態に係る中間ガイド４６は、単一の固定部４７を備え、且つ当該固定部４７の先端にバーブ４８が形成されている点である。なお、その他の構成については、上記釣竿１０と同様である。
【００５１】
中間ガイド４６は、たとえばステンレス鋼板から構成され得る。本変形例では、中間ガイド４６は、リング部２１及び取付脚２３が一体的に形成されている。上記バーブ４８は、上記固定部４７の先端が隆起されることにより構成されており、垂直壁面４９が形成されている。
【００５２】
本変形例では、同図が示すように中間ガイド４６が釣竿本体４４の上面３５に載置され、その状態でナイロン糸２４によって締結される。このナイロン糸２４は、上記固定部４７に掛け回され、上記バーブ４８に係合する。これにより、釣竿本体４４が平板状に形成されることによって、ナイロン糸２４の一様な巻き掛けが困難な場合であっても、中間ガイド４６の脱落が防止され、確実に釣竿本体４４に固定され得る。
【００５３】
なお、本変形例では、釣竿本体１１が平板状に形成されているが、釣竿本体４４が丸棒状に形成されていても、同様に中間ガイド４６の確実な固定が実現される。また、本変形例では、上記バーブ４８は、固定部４７の先端が隆起されることによって構成されているが、固定部４７が折り曲げられることによりバーブ４８が形成されていてもよい。
【００５４】
図５は、上記実施形態の第３の変形例に係る釣竿の要部拡大斜視図である。
【００５５】
この変形例が上記第２の変形例に係る釣竿と異なるところは、釣竿本体１１の貫通孔１３に中間ガイド４６の固定部４７が挿通されている点、及び上記バーブ４８が下向きに形成されている点である。この変形例では、中間ガイド４６が釣竿本体４４に挿通されるから、前述のように、中間ガイド４６のより確実な固定が実現される。
【符号の説明】
【００５６】
１０・・・釣竿
１１・・・釣竿本体
１２・・・トップガイド
１３・・・取付孔
１４・・・基端部
１５・・・先端部
１６・・・中間ガイド
１７・・・中間ガイド
１８・・・中間ガイド
１９・・・中間ガイド
２０・・・中間ガイド
２１・・・リング部
２３・・・取付脚
２４・・・ナイロン糸
３１・・・一端部
３２・・・他端部
３３・・・接続部
３４・・・固定部
４２・・・固定部
４３・・・固定部
４４・・・釣竿本体
４６・・・中間ガイド
４７・・・固定部
４８・・・バーブ
【図１】
0005443258.tif 000002
【図２】
0005443258.tif 000003
【図３】
0005443258.tif 000004
【図４】
0005443258.tif 000005
【図５】
0005443258.tif 000006
【図６】
0005443258.tif 000007